(57)【要約】      （修正有）【課題】気道が電子素子から隔離され、優れた防水効果があり、液体が機体に侵入して機器を損傷するのを防ぐ電気スプレー式鼻洗浄機を提供する。【解決手段】鼻洗浄機は、鼻洗浄ヘッド１、機体２、エアポンプ、エアチューブ、バッテリー及び制御素子を含む。鼻洗浄ヘッドは、カップ本体１０とカップカバー１１とを含み、カップ本体には上端に開口するキャビティが設けられ、キャビティは、洗浄液を貯留する。カップカバー上端のスプレーコラムには、キャビティに連通する第１の通気孔が設けられ、機体はカップ本体の下端と取り外し可能に連結される。エアポンプは機体の内部に装着され、機体の上端には通気孔が設けられ、エアポンプは、通気孔を介してキャビティに連通し、機体の下端には、空気導入孔が設けられ、エアチューブを介して外部に連通する。バッテリーと制御素子は、機体の内部に設置され、制御素子によりエアポンプを駆動すると、洗浄液が霧化されて通気孔から噴出する。【選択図】図１
0003226046.tif 000002
【実用新案登録請求の範囲】
【請求項１】
鼻洗浄ヘッド（１）、機体（２）、エアポンプ（３）、エアチューブ（４）、バッテリー（５）及び制御素子（６）を含む電気スプレー式鼻洗浄機であって、
鼻洗浄ヘッド（１）は、カップ本体（１０）とカップカバー（１１）とを含み、カップ本体（１０）は、上端に開口しているキャビティが設けられており、カップカバー（１１）は、カップ本体（１０）のキャビティを覆うように設けられ、前記キャビティは、洗浄液を貯留するために用いられ、カップカバー（１１）の上端には、スプレーコラム（１１０）が設けられており、スプレーコラム（１１０）には、カップ本体（１０）のキャビティに連通する第１の通気孔（１１１）が設けられ、
機体（２）の全体は、空のシェル設計を採用し、且つカップ本体（１０）の下端と取り外し可能に連結され、エアポンプ（３）は、機体（２）の内部に装着され、
機体（２）の上端には、通気孔（２０）が設けられ、エアポンプ（３）は、通気孔（２０）を介してカップ本体（１０）のキャビティに連通し、機体（２）の下端には、空気導入孔（２１）が設けられており、エアチューブ（４）の一端は、エアポンプ（３）と連通し、エアチューブ（４）の他端は空気導入孔（２１）を介して外部に連通し、
バッテリー（５）と制御素子（６）は、機体（２）の内部に固定設置され、且つそれぞれエアポンプ（３）に電気的に接続され、制御素子（６）を作動させることにより、エアポンプ（３）を駆動してカップ本体（１０）のキャビティに換気すると、カップ本体（１０）内の洗浄液が霧化されて第１の通気孔（１１１）から噴出されることを特徴とする電気スプレー式鼻洗浄機。
【請求項２】
吸引管（７）をさらに含み、カップ本体（１０）のキャビティには、液体貯蔵タンク（１００）が設けられており、液体貯蔵タンク（１００）の内部には、底部に対して垂直であり且つカップ本体（１０）の上方へ延伸する排水カラム（１０２）が設けられ、排水カラム（１０２）内には、カップ本体（１０）を貫通し且つ通気孔（２０）に連通する第１の排気孔（１０３）が設けられ、排水カラム（１０２）には、吸引管（７）が摺動可能に取り付けられ、吸引管（７）の上端には、第１の排気孔（１０３）に連通する第２の排気孔（７０）が設けられ、吸引管（７）の下端は、液体貯蔵タンク（１００）の底部に当接され、カップカバー（１１）のスプレーコラム（１１０）は、吸引管（７）を取り囲むように設けられ、第２の排気孔（７０）は、第１の通気孔（１１１）に連通されることを特徴とする請求項１に記載の電気スプレー式鼻洗浄機。
【請求項３】
カップ本体（１０）のキャビティ内には、液体貯蔵タンク（１００）と離隔するように設けられた廃液タンク（１０１）がさらに設けられており、カップカバー（１１）の上端には、液体貯蔵タンク（１００）に連通された液分離タンク（１１２）が設けられていることを特徴とする請求項２に記載の電気スプレー式鼻洗浄機。
【請求項４】
中空の柔らかいゴム製の鼻栓（１２）をさらに含み、鼻栓（１２）は、スプレーコラム（１１０）を取り囲むように設けられており、鼻栓（１２）の下端は、液分離タンク（１１２）をカバーするように設けられ、鼻栓（１２）の上端には、第１の噴霧孔に連通する第２の噴霧孔（１２０）が設けられており、鼻栓（１２）には、液分離タンク（１１２）に連通する液戻し孔（１２１）がさらに設けられていることを特徴とする請求項３に記載の電気スプレー式鼻洗浄機。
【請求項５】
通気孔（２０）に固定されて、エアポンプ（３）とカップ本体（１０）とを連結するキャビティを密封接続するために使用される「工」字状のシールリング（８）をさらに含むことを特徴とする請求項１に記載の電気スプレー式鼻洗浄機。
【請求項６】
前記空気導入孔（２１）に装着され、前記エアポンプ（３）によって吸引されたガスを濾過するために使用されるフィルタ綿（９）をさらに含むことを特徴とする請求項１に記載の電気スプレー式鼻洗浄機。
【請求項７】
前記吸引管（７）の外壁には、前記カップカバー（１１）の内壁に当接される固定翼（７１）がさらに設けられていることを特徴とする請求項２に記載の電気スプレー式鼻洗浄機。
【考案の詳細な説明】
【技術分野】
【０００１】
本考案は、医療看護技術分野に関し、特に電気スプレー式鼻洗浄機に関するものである。
【背景技術】
【０００２】
現代社会では、人々の生活ペースは加速しており、家族や仕事などのさまざまな方面からの圧力を受けている。空気質の劣化に加えて、人々は鼻炎などの一連の症状に感染し易い。ところで、自己健康管理に対する人々の意識が益々強くなり、多くの人が電気スプレー式鼻洗浄機を使用して鼻腔を看護する。電気スプレー式鼻洗浄機は、鼻腔を損傷せずに、十分な圧力で鼻腔内の汚れを洗浄することができる。しかも、鼻腔のさらに深い部位を洗浄でき、洗浄効果が大きく改善された。これと同時に、電気スプレー式鼻洗浄機は、鼻腔内のかさぶたを湿り、取り除いて、鼻腔内の埃などの有害物質を除去し、鼻腔を潤し、鼻繊毛の正常な揺動の回復を助け、鼻炎の治療に非常に良い効果をもたらすことができる。
【０００３】
現在、市販されている一般的な電気スプレー式鼻洗浄機は、その内部エアポンプを介して吸気して、空気流と空気圧を生成してスプレーを形成する。空気中に大量の水が存在し、且つ既存の鼻洗浄機のエアポンプ気道と内部電子素子との間には隔離構造がないため、エアポンプの吸気過程では、大量の空気が機器の内部に入り、空気中の水分が機器内部の電子素子と回路に損傷を与え、機器の使用寿命に影響を与える。
【考案の概要】
【考案が解決しようとする課題】
【０００４】
上記の問題を解決するために、本考案は、気道が電子素子から隔離され、優れた防水効果があり、液体が機体に侵入して機器を損傷するのを防ぐ電気スプレー式鼻洗浄機を提供することを目的とする。
【課題を解決するための手段】
【０００５】
上記の目的を達成するために、本考案に係る電気スプレー式鼻洗浄機は、鼻洗浄ヘッド、機体、エアポンプ、エアチューブ、バッテリー及び制御素子を含み、鼻洗浄ヘッドは、カップ本体とカップカバーとを含み、カップ本体は、上端に開口しているキャビティが設けられており、カップカバーは、カップ本体のキャビティを覆うように設けられ、前記キャビティは、洗浄液を貯留するために用いられ、カップカバーの上端には、スプレーコラムが設けられており、スプレーコラムには、カップ本体のキャビティに連通する第１の通気孔が設けられ、機体の全体は、空のシェル設計を採用し、且つカップ本体の下端と取り外し可能に連結され、エアポンプは、機体の内部に装着され、機体の上端には、通気孔が設けられ、エアポンプは、通気孔を介してカップ本体のキャビティに連通し、機体の下端には、空気導入孔が設けられており、エアチューブの一端は、エアポンプと連通し、エアチューブの他端は空気導入孔を介して外部に連通し、バッテリーと制御素子は、機体の内部に固定設置され、且つそれぞれエアポンプに電気的に接続され、制御素子を作動させることにより、エアポンプを駆動してカップ本体のキャビティに換気すると、カップ本体内の洗浄液が霧化されて通気孔から噴出される。
【０００６】
好ましくは、前記電気スプレー式鼻洗浄機は、吸引管をさらに含み、カップ本体のキャビティには、液体貯蔵タンクが設けられており、液体貯蔵タンクの内部には、底部に対して垂直であり且つカップ本体の上方へ延伸する排水カラムが設けられ、排水カラム内には、カップ本体を貫通し且つ通気孔に連通する第１の排気孔が設けられ、排水カラムには、吸引管が摺動可能に取り付けられ、吸引管の上端には、第１の排気孔に連通する第２の排気孔が設けられ、吸引管の下端は、液体貯蔵タンクの底部に当接され、カップカバーのスプレーコラムは、吸引管を取り囲むように設けられ、第２の排気孔は、第１の通気孔に連通される。
【０００７】
好ましくは、前記カップ本体のキャビティ内には、液体貯蔵タンクと離隔するように設けられた廃液タンクがさらに設けられており、カップカバーの上端には、液体貯蔵タンクに連通された液分離タンクが設けられている。
【０００８】
好ましくは、前記電気スプレー式鼻洗浄機は、中空の柔らかいゴム製の鼻栓をさらに含み、鼻栓は、スプレーコラムを取り囲むように設けられており、鼻栓の下端は、液分離タンクをカバーするように設けられ、鼻栓の上端には、第１の噴霧孔に連通する第２の噴霧孔が設けられており、鼻栓には、液分離タンクに連通する液戻し孔がさらに設けられている。
【０００９】
好ましくは、前記電気スプレー式鼻洗浄機は、通気孔に固定されて、エアポンプとカップ本体とを連結するキャビティを密封接続するために使用される「工」字状のシールリングをさらに含む。
【００１０】
好ましくは、前記電気スプレー式鼻洗浄機は、前記空気導入孔に装着され、前記エアポンプによって吸引されたガスを濾過するために使用されるフィルタ綿をさらに含む。
【００１１】
好ましくは、前記吸引管の外壁には、前記カップカバーの内壁に当接される固定翼がさらに設けられている
【考案の効果】
【００１２】
従来技術と比較して、本考案の電気スプレー式鼻洗浄機は、鼻洗浄ヘッド、機体、エアポンプ、エアチューブ、バッテリー及び制御素子を含む。鼻洗浄ヘッドは、カップ本体とカップカバーとを含む。カップ本体は、上端に開口しているキャビティが設けられており、カップカバーは、カップ本体のキャビティを覆うように設けられる。前記キャビティは、洗浄液を貯留するために用いられる。カップカバーの上端には、スプレーコラムが設けられている。スプレーコラムには、カップ本体のキャビティに連通する第１の通気孔が設けられている。エアポンプは、機体の内部に取り付けられ且つエアチューブを介して外部から空気を引き込む。バッテリーと制御素子は、機体の内部に取り付けられ、且つそれぞれエアポンプに電気的に接続されている。制御素子を作動させることにより、エアポンプを駆動してカップ本体のキャビティに換気することができる。これにより、カップ本体内の洗浄液が霧化されて通気孔から噴出される。エアポンプには、排気口と吸気口が設けられている。前記排気口は、通気孔に連通してカップ本体に空気を供給する。エアチューブの一端は、前記吸気口に接続され、他端は空気導入孔に固定接続されている。エアチューブの接続部位が接着剤によって密封されることによって、エアポンプがエアチューブを介してガスを吸い込んだ時に、ガスが機体内部の残りのスペースに漏れないようにして、ガス中の水分がバッテリーと制御素子を損傷することを防止する。
【図面の簡単な説明】
【００１３】
【図１】本考案の実施形態に係る電気スプレー式鼻洗浄機の全体構造を示す図である。
【図２】本考案の実施形態に係る電気スプレー式鼻洗浄機の分解図である。
【図３】本考案の実施形態による鼻洗浄ヘッドの断面図である。
【図４】本考案の実施形態による機体の断面図である。
【図５】本考案の実施形態による軟質ゴム製の鼻栓の平面図である。
【図６】本考案の実施形態によるカップカバーの構造を示す図である。
【図７】本考案の実施形態によるカップカバーの平面図を示す。
【図８】本考案の実施形態によるカップ本体の構造を示す図である。
【図９】本考案の実施形態によるカップ本体の平面図である。
【図１０】本考案の実施形態に係る吸引管の構造を示す図である。
【図１１】本考案の実施形態によるエアポンプの吸気原理と排気原理を示す図である。
【考案を実施するための形態】
【００１４】
以下、図面を参照しながら、本考案の実施形態が提供する技術提案を明確且つ完全に説明する。明らかに、以下に述べる技術提案は、ただ本考案の実施形態の一部に過ぎず、全ての実施形態ではない。当業者は、本考案の実施形態に基づいて、創造的な仕事をせずに得た他の実施形態も本考案の保護範囲に含まれるものとする。
【００１５】
図面は、明細書の一部として、以下の実施形態と共に本考案の技術提案を解釈し、本考案を制限するものではない。
【００１６】
図１〜図１１に示すように、本考案に係る電気スプレー式鼻洗浄機は、鼻洗浄ヘッド１、機体２、エアポンプ３、エアチューブ４、バッテリー５及び制御素子６を含む。鼻洗浄ヘッド１は、カップ本体１０とカップカバー１１とを含む。カップ本体１０は、上端に開口しているキャビティが設けられており、カップカバー１１は、カップ本体１０のキャビティを覆うように設けられる。前記キャビティは、洗浄液を貯留するために用いられる。カップカバー１１の上端には、スプレーコラム１１０が設けられている。スプレーコラム１１０には、カップ本体１０のキャビティに連通する第１の通気孔１１１が設けられている。機体２の全体は、空のシェル設計を採用し、且つカップ本体１０の下端と取り外し可能に連結されている。具体的には、機体２とカップ本体１０は、スナップやスレッドなどの接続方法を採用することができる。本実施形態では、スレッドが採用されることが好ましい。エアポンプ３は、機体２の内部に装着される。機体２の上端には、通気孔２０が設けられている。エアポンプ３は、通気孔２０を介してカップ本体１０のキャビティに連通する。機体２の下端には、空気導入孔２１が設けられている。エアチューブ４の一端は、エアポンプ３と連通し、他端は空気導入孔２１を介して外部に連通する。バッテリー５と制御素子６は、機体２の内部に固定設置され、且つそれぞれエアポンプ３に電気的に接続されている。制御素子６を作動させることにより、エアポンプ３を駆動してカップ本体１０のキャビティに換気することができる。これにより、カップ本体１０内の洗浄液が霧化されて第１の通気孔１１１から噴出される。具体的には、エアポンプ３３には、排気口と吸気口が設けられている。前記排気口は、通気孔２０に連通してカップ本体１０に空気を供給する。エアチューブ４の一端は、前記吸気口に接続され、他端は空気導入孔２１に固定接続されている。エアチューブ４の接続部位は、接着剤を介してシールされるか又はボルトを介してロックされる。本実施形態では、エアポンプ３がエアチューブ４を介してガスを吸い込んだ時に、ガスが機体２の内部の残りの空間内に漏れないようにするために、接着剤でシールすることが好ましい。これにより、ガス中の水分がバッテリー５及び制御素子６を損傷することは防がれる。
【００１７】
ユーザーが前記電気スプレー式鼻洗浄機を使用する必要がある場合、制御素子６を作動させて、エアポンプ３を駆動して通気孔２０からカップ本体１０内に空気流を供給し、カップ本体１０内の洗浄液を空気流によって粒子に霧化されて、スプレーコラム１１０に沿って第１の通気孔１１１から噴霧されることによって、鼻水を洗浄する機能を実現する。
【００１８】
図１０を参照すると、前記電気スプレー式鼻洗浄機は、吸引管７をさらに含む。カップ本体１０のキャビティには、液体貯蔵タンク１００が設けられる。液体貯蔵タンク１００の内部には、底部に対して垂直であり且つカップ本体１０の上方へ延伸する排水カラム１０２が設けられている。排水カラム１０２内には、カップ本体１０を貫通し且つ通気孔２０に連通する第１の排気孔１０３が設けられている。排水カラム１０２には、吸引管７が摺動可能に取り付けられ、吸引管７の上端には、第１の排気孔１０３に連通する第２の排気孔７０が設けられている。吸引管７の下端は、液体貯蔵タンク１００の底部に当接される。カップカバー１１のスプレーコラム１１０は、吸引管７を取り囲むように設けられる。第２の排気孔７０は、第１の通気孔１１１に連通される。具体的には、第１の排気孔１０３の孔径は、第２の排気孔７０の孔径よりも大きく、空気流が吸引管７に衝突して圧力差を形成するのに便利である。また、本実施形態では、排水カラム１０２と吸引管７は、何れもテーパー状であり、液体貯蔵タンク１００内の洗浄液が排水カラム１０２吸引管７に沿って第２の排気孔７０まで流れることを容易にする。
【００１９】
さらに、吸引管７の外壁には、固定翼７１が設けられている。固定翼７１は、カップカバー１１の内壁に当接して、過剰な空気流が吸引管７を液体貯蔵タンク１００から遠ざかる所に押し流すことを防止して、サイフォンの正常な形成を保証する。
【００２０】
上記の提案によれば、液体貯蔵タンク１００内に洗浄液が貯蔵されている場合、エアポンプ３は通気孔２０を通じて排水カラム１０２内の第１の排気孔１０３に空気を供給し、空気流が第１の排気孔１０３から噴出して吸引管７の内壁に激しくあたり、カップ本体１０と吸引管７との間に負圧を形成する。即ち、サイフォンが形成される。これにより、液体貯蔵タンク１００内の洗浄液は、第２の排気孔７０まで吸引され、第２の排気孔７０での洗浄液は、気流と共に吸引管７から噴出されて、霧化粒子を形成し、最終的に第１の噴霧孔を通って人体の鼻腔に到達する。
【００２１】
さらに、カップ本体１０のキャビティには、液体貯蔵タンク１００と離隔するように設けられた廃液タンク１０１が設けられている。カップカバー１１の上端には、液体貯蔵タンク１００に連通された液分離タンク１１２が設けられている。本実施形態では、廃液タンク１０１と液体貯蔵タンク１００のカップ本体１０のキャビティでのスペース比は１：２であり、且つ弧状ベゼルを介して互いに離隔されている。前記弧状ベゼルの上端は、カップカバー１１の下端に挿入して、廃液タンク１０１内の液体が液体貯蔵タンク１００内に入ることを避ける。
【００２２】
また、前記電気スプレー式鼻洗浄機は、中空の柔らかいゴム製の鼻栓１２をさらに含む。鼻栓１２は、スプレーコラム１１０を取り囲むように設けられる。鼻栓１２の下端は、液分離タンク１１２をカバーするように設けられ、鼻栓１２の上端には、第１の噴霧孔に連通する第２の噴霧孔１２０が設けられる。鼻栓１２には、液分離タンク１１２に連通する液戻し孔１２１がさらに設けられている。
【００２３】
具体的には、鼻栓１２を設けることにより、鼻洗浄ヘッド１が鼻孔に突き刺さって鼻孔を刺すことを防ぎ、使用者をより快適にする。さらに、洗浄液の霧化粒子が軟質ゴム製の鼻栓１２の第２の噴霧孔１２０から噴出されて、ユーザーの鼻腔をスプレーして洗浄した後、これらの霧化粒子は再び水流に収束し、且つ鼻栓１２の外側壁に沿って液戻し孔１２１に入り、その後、液分離タンク１１２を通って廃液タンク１０１内に入ることができる。これにより、洗浄された後の廃液が鼻腔から流出して、体の他の部位に届く情況が防がれる。
【００２４】
エアポンプ３が通気孔２０に空気をより連続的且つ安定的に供給できるようにするために、前記電気スプレー式鼻洗浄機は、「工」字状のシールリング８をさらに備える。シールリング８は、通気孔２０に固定されて、エアポンプ３とカップ本体１０とを連結するキャビティを密封接続するために使用される。
【００２５】
図４を参照すると、前記電気スプレー式鼻洗浄機は、空気導入孔２１に設置され、エアポンプ３によって吸引されたガスを濾過するために使用されるフィルタ綿９をさらに含む。
【００２６】
本明細書で使用される用語は、特定の実施形態を説明するためだけのものであり、本願の例示的な実施形態を限定することを意図するものではないことに留意されたい。 本明細書で使用される単数形は、文脈からそうでないことが明確に示されていない限り、複数形も含むことを意図しており、本明細書で「備える」又は「含む」という用語が使用される場合、特徴、ステップ、操作、素子、コンポーネント又はそれらの組み合わせが存在することを表す。
【００２７】
特に明記しない限り、これらの実施形態に示される構成要素及びステップの相対的配置、数値表現数値は、本願の保護範囲を限定しない。同時に、説明の便宜上、図面に示されている様々な部分の寸法は、実際の比例関係に従って描かれていないことを理解されたい。関連分野の当業者に知られている技術、方法及び機器に対して詳細に説明しないが、適切な場合に、上記の技術、方法、及び機器は認可仕様の一部と見なされるべきである。本明細書に示され、議論される全ての例において、特定の値は、ただ例示的なものであり、限定的なものとして解釈されない。従って、例示的な実施形態の他の例は、異なる値を有し得る。同様の番号と文字は、図面において同様のアイテムを示すため、あるアイテムが１つの図面で定義されると、後続の図面でそれをさらに説明する必要がないことに留意されたい。
【００２８】
本願の説明において、「前、後ろ、上、下、左、右」、「横向き、縦向き、垂直、水平」及び「ボトム、底部」などの用語が指示する方位又は位置関係は、通常図面で示された方位又は位置関係に基づいており、本願を説明することを容易にし、説明を簡略化するためのものにすぎない。特に明記しない限り、これらの用語が言及した素子又はデバイスが必ず特定の方位又は特定の位置関係で構造及び作動することを指し示すものでなく、暗示するものでもない。従って、上記の用語は、本願の保護範囲の制限するものではない。また、「内側と外側」は、各素子自体の輪郭を基準にした内側と外側を指す。
【００２９】
説明の便宜上、「上」、「上方」、「上面」、「上の」などの用語を使用して、図面に示された１つの素子又は特徴と他の素子又は特徴との空間的位置関係を説明することができる。前記用語は、図面に示されている素子の異なる位置関係及び動作の向きを説明するためのものである。例えば、図面中の素子が反転される場合、「他の素子又は構造の上方」又は「他の素子又は構造の上」にあると記載された素子を、「他の素子又は構造の下方」又は「他の素子又は構造の下」にあるように記載する。従って、例示的な用語「…の上方にある」とは、「…の上に」と「…の下に」との２種類の方位を含む場合がある。前記素子は、他の異なる方式で定義され（９０度回転されるか又は他の方位に処する）、且つここで使用される空間に対して相応的に解釈する。
【００３０】
また、「第１」や「第２」などの単語を使用して部品を限定するのは、対応する部品を容易に区別するためだけであることに注意されたい。特に明記しない限り、上記の用語は特別な意味を持たないため、本願の保護範囲を制限するものとして理解できない。
【００３１】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。本考案の保護範囲は、添付された実用新案登録請求の範囲及びその同等物によって定義される。
【符号の説明】
【００３２】
１      鼻洗浄ヘッド
３      エアポンプ
４      エアチューブ
５      バッテリー
６      制御素子
７      吸引管
８      シールリング
９      フィルタ綿
１０    カップ本体
１１    カップカバー
１２    鼻栓
２０    通気孔
２１     空気導入孔
７０    第２の排気孔
７１    固定翼
１００  液体貯蔵タンク
１０１  廃液タンク
１０２  排水カラム
１０３  第１の排気孔
１１０  スプレーコラム
１１１  第１の通気孔
１１２  液分離タンク
１２０  第２の噴霧孔
１２１  液戻し孔
【図１】
0003226046.tif 000003
【図２】
0003226046.tif 000004
【図３】
0003226046.tif 000005
【図４】
0003226046.tif 000006
【図５】
0003226046.tif 000007
【図６】
0003226046.tif 000008
【図７】
0003226046.tif 000009
【図８】
0003226046.tif 000010
【図９】
0003226046.tif 000011
【図１０】
0003226046.tif 000012
【図１１】
0003226046.tif 000013
【手続補正書】
【提出日】令和2年2月20日(2020.2.20)
【手続補正１】
【補正対象書類名】実用新案登録請求の範囲
【補正対象項目名】全文
【補正方法】変更
【補正の内容】
【実用新案登録請求の範囲】
【請求項１】
鼻洗浄ヘッド（１）、機体（２）、エアポンプ（３）、エアチューブ（４）、バッテリー（５）及び制御素子（６）を含む電気スプレー式鼻洗浄機であって、
鼻洗浄ヘッド（１）は、カップ本体（１０）とカップカバー（１１）とを含み、カップ本体（１０）は、上端に開口しているキャビティが設けられており、カップカバー（１１）は、カップ本体（１０）のキャビティを覆うように設けられ、前記キャビティは、洗浄液を貯留するために用いられ、カップカバー（１１）の上端には、スプレーコラム（１１０）が設けられており、スプレーコラム（１１０）には、カップ本体（１０）のキャビティに連通する第１の通気孔（１１１）が設けられ、
機体（２）の全体は、空のシェル設計を採用し、且つカップ本体（１０）の下端と連結され、エアポンプ（３）は、機体（２）の内部に装着され、
機体（２）の上端には、通気孔（２０）が設けられ、エアポンプ（３）は、通気孔（２０）を介してカップ本体（１０）のキャビティに連通し、機体（２）の下端には、空気導入孔（２１）が設けられており、エアチューブ（４）の一端は、エアポンプ（３）と連通し、エアチューブ（４）の他端は空気導入孔（２１）を介して外部に連通し、
バッテリー（５）と制御素子（６）は、機体（２）の内部に固定設置され、且つそれぞれエアポンプ（３）に電気的に接続され、制御素子（６）を作動させることにより、エアポンプ（３）を駆動してカップ本体（１０）のキャビティに換気すると、カップ本体（１０）内の洗浄液が霧化されて第１の通気孔（１１１）から噴出されることを特徴とする電気スプレー式鼻洗浄機。
【請求項２】
吸引管（７）をさらに含み、カップ本体（１０）のキャビティには、液体貯蔵タンク（１００）が設けられており、液体貯蔵タンク（１００）の内部には、底部に対して垂直であり且つカップ本体（１０）の上方へ延伸する排水カラム（１０２）が設けられ、排水カラム（１０２）内には、カップ本体（１０）を貫通し且つ通気孔（２０）に連通する第１の排気孔（１０３）が設けられ、排水カラム（１０２）には、吸引管（７）が摺動可能に取り付けられ、吸引管（７）の上端には、第１の排気孔（１０３）に連通する第２の排気孔（７０）が設けられ、吸引管（７）の下端は、液体貯蔵タンク（１００）の底部に当接され、カップカバー（１１）のスプレーコラム（１１０）は、吸引管（７）を取り囲むように設けられ、第２の排気孔（７０）は、第１の通気孔（１１１）に連通されることを特徴とする請求項１に記載の電気スプレー式鼻洗浄機。
【請求項３】
カップ本体（１０）のキャビティ内には、液体貯蔵タンク（１００）と離隔するように設けられた廃液タンク（１０１）がさらに設けられており、カップカバー（１１）の上端には、液体貯蔵タンク（１００）に連通された液分離タンク（１１２）が設けられていることを特徴とする請求項２に記載の電気スプレー式鼻洗浄機。
【請求項４】
中空の柔らかいゴム製の鼻栓（１２）をさらに含み、鼻栓（１２）は、スプレーコラム（１１０）を取り囲むように設けられており、鼻栓（１２）の下端は、液分離タンク（１１２）をカバーするように設けられ、鼻栓（１２）の上端には、噴霧孔（１２０）が設けられており、鼻栓（１２）には、液分離タンク（１１２）に連通する液戻し孔（１２１）がさらに設けられていることを特徴とする請求項３に記載の電気スプレー式鼻洗浄機。
【請求項５】
通気孔（２０）に固定されて、エアポンプ（３）とカップ本体（１０）とを連結するキャビティを密封接続するために使用される「工」字状のシールリング（８）をさらに含むことを特徴とする請求項１に記載の電気スプレー式鼻洗浄機。
【請求項６】
前記空気導入孔（２１）に装着され、前記エアポンプ（３）によって吸引されたガスを濾過するために使用されるフィルタ綿（９）をさらに含むことを特徴とする請求項１に記載の電気スプレー式鼻洗浄機。
【請求項７】
前記吸引管（７）の外壁には、前記カップカバー（１１）の内壁に当接される固定翼（７１）がさらに設けられていることを特徴とする請求項２に記載の電気スプレー式鼻洗浄機。